(57)【要約】【課題】板厚の異なる複数種の基板に対応して保持することができる基板保持構造を提供することを目的とする。【解決手段】実施形態の一態様に係る基板保持構造においては、筐体と、複数種のスリット部とを備える。筐体は、開口部が形成され、開口部から挿入された基板を収容する。また、複数種のスリット部は、筐体内において基板を厚さ方向に挟持して保持可能に形成されるとともに、基板の厚さに対応するスリット幅が異なるように構成される。【選択図】図４
2020088359.tif 000002
【特許請求の範囲】
【請求項１】
開口部が形成され、前記開口部から挿入された基板を収容する筐体と、
前記筐体内において基板を厚さ方向に挟持して保持可能に形成されるとともに、基板の厚さに対応するスリット幅が異なる複数種のスリット部と
を備えることを特徴とする基板保持構造。
【請求項２】
基板に形成されるとともに、前記複数種のスリット部のうち当該基板の厚さに対応するスリット幅のスリット部とは異なる別のスリット部を回避する回避部
を備えることを特徴とする請求項１に記載の基板保持構造。
【請求項３】
前記複数種のスリット部は、
基板を挟持する部位に段差が設けられることで、スリット幅が異なるように構成されること
を特徴とする請求項１または２に記載の基板保持構造。
【請求項４】
前記複数種のスリット部は、
前記筐体内において、基板の挿入方向に対して直交する方向で、かつ、基板の主面に対して平行な方向に沿って並列に設けられること
を特徴とする請求項１または２に記載の基板保持構造。
【請求項５】
前記複数種のスリット部は、
前記筐体内において、基板の主面に対して垂直な方向に沿って設けられること
を特徴とする請求項１または２に記載の基板保持構造。
【発明の詳細な説明】
【技術分野】
【０００１】
本発明は、基板保持構造に関する。
【背景技術】
【０００２】
従来、例えば電子部品が実装された基板を筐体内で保持する基板保持構造が知られている（例えば特許文献１参照）。従来技術に係る基板保持構造にあっては、筐体内に溝状のスリット部が形成され、かかるスリット部で基板を厚さ方向に挟持して保持するように構成される。
【先行技術文献】
【特許文献】
【０００３】
【特許文献１】特開平９−７４２９１号公報
【発明の概要】
【発明が解決しようとする課題】
【０００４】
ところで、上記した従来技術において、スリット部のスリット幅（溝幅）は、収容される基板の板厚に応じて設定される。しかしながら、例えば、基板の設計変更等によって基板の板厚が変更になることがある。このように板厚が変更されると、筐体のスリット部は、板厚が変更された基板を保持できなくなる場合があり、かかる場合、筐体も基板に対応したスリット部に設計変更する必要が生じてしまう。
【０００５】
このように、従来技術に係る基板保持構造にあっては、例えば板厚が変更された場合など、板厚の異なる複数種の基板に対応することができず、改善の余地があった。
【０００６】
本発明は、上記に鑑みてなされたものであって、板厚の異なる複数種の基板に対応して保持することができる基板保持構造を提供することを目的とする。
【課題を解決するための手段】
【０００７】
上記課題を解決し、目的を達成するために、本発明は、基板保持構造において、筐体と、複数種のスリット部とを備える。筐体は、開口部が形成され、前記開口部から挿入された基板を収容する。複数種のスリット部は、前記筐体内において基板を厚さ方向に挟持して保持可能に形成されるとともに、基板の厚さに対応するスリット幅が異なる。
【発明の効果】
【０００８】
本発明によれば、板厚の異なる複数種の基板に対応して保持することができる。
【図面の簡単な説明】
【０００９】
【図１】図１は、第１の実施形態に係る基板保持構造を有する電子装置の構成例を示す斜視図である。
【図２】図２は、電子装置の分解斜視図である。
【図３】図３は、筐体の正面図である。
【図４】図４は、図３のIV−IV線断面図である。
【図５】図５は、基板が保持された状態の第１スリット部などを示す断面図である。
【図６】図６は、第２基板の平面図である。
【図７】図７は、第２の実施形態に係る筐体の正面図である。
【図８】図８は、図７のVIII−VIII線断面図である。
【図９】図９は、第２の実施形態に係る第２基板の平面図である。
【図１０】図１０は、第３の実施形態に係る筐体の正面図である。
【図１１】図１１は、図１０のXI−XI線断面図である。
【発明を実施するための形態】
【００１０】
以下、添付図面を参照して、本願の開示する基板保持構造の実施形態を詳細に説明する。なお、以下に示す実施形態によりこの発明が限定されるものではない。
【００１１】
（第１の実施形態）
図１は、第１の実施形態に係る基板保持構造を有する電子装置の構成例を示す斜視図である。なお、図１においては、説明の便宜のために、互いに直交するＸ軸方向、Ｙ軸方向およびＺ軸方向で規定される３次元の直交座標系を図示している。かかる直交座標系は、後述の説明に用いる他の図面でも示す場合がある。
【００１２】
また、以下では、説明の便宜のため、Ｚ軸正方向を「上方」、Ｚ軸負方向を「下方」、Ｘ軸正方向を「右方」、Ｘ軸負方向を「左方」、Ｙ軸正方向を「後方」、Ｙ軸負方向を「前方」と記載する場合がある。なお、上記した上下左右など方向を示す表現は、電子装置の取り付け時の方向等を限定するものではない。また、図１および後述する図２以降の図は、いずれも模式図である。
【００１３】
図１に示すように、本実施形態に係る電子装置１は、内部に基板１０（図２参照）およびコネクタ２０などが収容される装置である。かかる電子装置１は、例えば、図示しない車両に搭載されて相手コネクタに接続可能に構成される。なお、上記では、電子装置１が車両に搭載されるようにしたが、これに限定されるものではない。
【００１４】
図２は、電子装置１の分解斜視図である。図２に示すように、電子装置１は、上記した基板１０と、コネクタ２０と、筐体３０と、蓋部５０とを備える。
【００１５】
基板１０は、例えば主面１１に、コネクタ２０など種々の電子部品が実装された電子回路基板である。基板１０は、例えば樹脂製とされるが、これに限られない。また、基板１０は、例えば、平板状であり、平面視矩形状に形成される。なお、基板１０の形状は、上記に限定されるものではなく、例えば平面視正方形状などその他の形状であってもよい。
【００１６】
コネクタ２０は、基板１０に実装され、図示しない相手コネクタが接続されるとき、基板１０と相手コネクタとを電気的に接続する。例えば、コネクタ２０は、基板１０の前方（Ｙ軸負方向）側の端部に配置される。なお、コネクタ２０は、例えば樹脂製とされるが、これに限られない。
【００１７】
上記のように構成されたコネクタ２０を有する基板１０は、例えば、コネクタ２０が実装される前方の端部とは反対側の端部、すなわち、後方（Ｙ軸正方向）の端部を先頭にして、筐体３０に挿入されて収容される。
【００１８】
筐体３０は、上記した基板１０やコネクタ２０などを収容可能なケースである。例えば、筐体３０は、直方体状に形成される。具体的には、筐体３０は、上部３１と、下部３２と、側壁部３３ａ，３３ｂと、後部３４と、開口部３５とを備える。上記した上部３１、下部３２、側壁部３３ａ，３３ｂ、および、後部３４などは、例えば樹脂製とされるが、これに限定されるものではない。
【００１９】
上部３１は、筐体３０全体の上方（Ｚ軸正方向）側に配置される部位である。上部３１は、例えば平板状であり、平面視矩形状に形成される。下部３２は、上部３１の下方（Ｚ軸負方向）に対向して配置される。また、下部３２は、例えば平板状であり、平面視矩形状に形成される。
【００２０】
側壁部３３ａは、例えば平板状であり、上部３１および下部３２の左方（Ｘ軸負方向）の端部から連続して形成される。一方、側壁部３３ｂは、例えば平板状であり、上部３１および下部３２の右方（Ｘ軸正方向）の端部から連続して形成される。すなわち、側壁部３３ａと側壁部３３ｂとは、対向して配置される。
【００２１】
後部３４は、例えば平板状であり、上部３１、下部３２および側壁部３３ａ，３３ｂの後方の端部から連続して形成される。これにより、筐体３０にあっては、上部３１、下部３２、側壁部３３ａ，３３ｂおよび後部３４に囲まれた内部空間Ａが形成される。言い換えると、筐体３０は中空状に形成される。
【００２２】
開口部３５は、筐体３０全体の前方であって、後部３４に対向する位置に形成される開口部分である。従って、筐体３０にあっては、開口部３５から基板１０やコネクタ２０などが挿入されて内部空間Ａに収容される。
【００２３】
図３は、筐体３０を開口部３５側から見た正面図である。図２および図３に示すように、筐体３０はさらに、係止受け部３６と、ガイド部３７と、複数種のスリット部４０（図２で見えず）とを備える。
【００２４】
係止受け部３６は、蓋部５０を係止するための凸状の部位であり、例えば、側壁部３３ａ，３３ｂの外周面にそれぞれ形成される。ガイド部３７は、挿入された基板１０をガイドする。例えば、ガイド部３７は、側壁部３３ａ，３３ｂの内周面にそれぞれ形成されるとともに、前後方向に延在する溝状に形成される。そして、ガイド部３７は、基板１０の左右の端部が溝状の部位に乗せられてスライドさせられる基板１０を、筐体３０の奥側へ向けてガイドする。
【００２５】
図３に示すように、複数種のスリット部４０は、筐体３０内において収容された基板１０（図２参照）を挟持して保持可能に構成される。例えば、スリット部４０は、筐体３０において基板１０の挿入方向の奥側、すなわち、後部３４に形成される。
【００２６】
なお、図３に示す例では、スリット部４０は、後部３４に２つ形成され、詳しくは後部３４の左右に１つずつ形成されるが、これはあくまでも例示であって限定されるものではなく、１つあるいは３つ以上形成されてもよい。また、スリット部４０が形成される位置も任意に変更可能である。また、以下では、左方のスリット部４０を例にとって説明するが、左方のスリット部４０と右方のスリット部４０とは、同様な構成であるため、以下の説明は、右方のスリット部４０にも概ね妥当する。
【００２７】
図４は、図３のIV−IV線断面図である。図３および図４に示すように、複数種のスリット部４０は、第１スリット部４１と、第２スリット部４２とを備える。そして、第１スリット部４１のスリット幅ｄ１（図４参照）と、第２スリット部４２のスリット幅ｄ２（図４参照）とを異ならせることで、厚さの異なる複数種の基板１０を挟持して保持することができる。
【００２８】
詳しく説明すると、例えば、第１スリット部４１は、筐体３０内において奥側（後方）の後部３４に形成される。また、第１スリット部４１は、第１台座部４１ａと、第１圧入部４１ｂとを備える。
【００２９】
第１台座部４１ａは、筐体３０の後部３４および下部３２に形成されるとともに、座面（上面）４１ａ１が平坦状に形成される。かかる第１台座部４１ａの座面４１ａ１には、後述するように、保持される基板１０が載置される。
【００３０】
第１圧入部４１ｂは、筐体３０の後部３４において、第１台座部４１ａの座面４１ａ１に対して上方に対向するように形成される。また、第１圧入部４１ｂは、図３に示すように、下方側の先端部４１ｂ１が下方に進むにつれて左右方向の幅が小さくなるような形状、言い換えると、正面視において逆三角形状となるように形成される。
【００３１】
また、第１圧入部４１ｂは、先端部４１ｂ１が第１台座部４１ａの座面４１ａ１から所定距離上方に離間した位置となるように形成される。なお、かかる所定距離が、上記した第１スリット部４１のスリット幅ｄ１であり、このスリット幅ｄ１が第１スリット部４１に保持される基板１０の厚さに対応する。
【００３２】
具体的に、上記のように構成された第１スリット部４１には、第１スリット部４１に対応する基板１０が保持されることとなる。図５は、基板１０が保持された状態の第１スリット部４１などを示す断面図である。なお、以下では、第１スリット部４１に対応する基板１０を「第１基板１０１」、後述する第２スリット部４２に対応する基板１０を「第２基板１０２」と記載する場合がある。
【００３３】
図５に示すように、第１スリット部４１にあっては、スリット幅ｄ１（図４参照）が、対応する第１基板１０１の厚さｔ１より僅かに小さい値に設定される。従って、筐体３０に挿入される第１基板１０１は第１スリット部４１に到達すると、第１基板１０１の後方の端部が第１台座部４１ａと第１圧入部４１ｂとの間に挟まれつつ圧入される。これにより、第１スリット部４１は、第１基板１０１を厚さ方向に挟持して保持することができる。
【００３４】
また、第１基板１０１は、後方の端部が筐体３０の後部３４に当接あるいは近接するまで押し込まれることで、筐体３０は、第１基板１０１を安定して収容することができる。
【００３５】
次に、図３および図４に戻って、第２スリット部４２について説明する。図３および図４に示すように、第２スリット部４２は、筐体３０内において、上記した第１スリット部４１より前方側に形成される。また、第２スリット部４２は、第２台座部４２ａと、第２圧入部４２ｂとを備える。
【００３６】
第２台座部４２ａは、第１スリット部４１の第１台座部４１ａと共用とされる。すなわち、第２台座部４２ａは、筐体３０の後部３４および下部３２に形成されるとともに、座面（上面）４２ａ１が平坦状に形成される。かかる第２台座部４２ａの座面４２ａ１には、対応する第２基板１０２（図５参照。図５において破線で示す）が載置される。
【００３７】
第２圧入部４２ｂは、筐体３０内の第１圧入部４１ｂより前方において、第２台座部４２ａの座面４２ａ１に対して上方に対向するように形成される。また、第２圧入部４２ｂは、図３に示すように、下方側の先端部４２ｂ１が下方に進むにつれて左右方向の幅が小さくなるような形状、言い換えると、正面視において逆三角形状となるように形成される。
【００３８】
なお、上記では、第２圧入部４２ｂの形状が、第１圧入部４１ｂと同様になるようにしたが、これに限定されるものではなく、互いに異なる形状であってもよい。また、図３などに示す第１、第２圧入部４１ｂ，４２ｂの形状は、あくまでも例示であって限定されるものではない。
【００３９】
また、第２圧入部４２ｂは、先端部４２ｂ１が第２台座部４２ａの座面４２ａ１から所定距離上方に離間した位置となるように形成される。なお、かかる所定距離が、第２スリット部４２のスリット幅ｄ２であり、このスリット幅ｄ２が第２スリット部４２に保持される第２基板１０２の厚さに対応する。
【００４０】
具体的に第２スリット部４２には、第２スリット部４２に対応する第２基板１０２が保持されることとなる。そして、図５に示すように、第２スリット部４２にあっては、スリット幅ｄ２（図４参照）が、対応する第２基板１０２の厚さｔ２より僅かに小さい値に設定される。従って、筐体３０に挿入される第２基板１０２は第２スリット部４２に到達すると、第２基板１０２の後方の端部が第２台座部４２ａと第２圧入部４２ｂとの間に挟まれつつ圧入される。これにより、第２スリット部４２は、第２基板１０２を厚さ方向に挟持して保持することができる。
【００４１】
また、第２スリット部４２のスリット幅ｄ２は、第１スリット部４１のスリット幅ｄ１より大きくなるように設定される（ｄ２＞ｄ１）。これにより、第２スリット部４２は、第１スリット部４１に保持される第１基板１０１より厚さが大きい第２基板１０２を保持することができる。
【００４２】
このように、スリット部４０は、第１スリット部４１のスリット幅ｄ１と、第２スリット部４２のスリット幅ｄ２とを異ならせることで、厚さの異なる複数種の基板１０を挟持して保持することができる。
【００４３】
従って、本実施形態に係る基板保持構造にあっては、例えば仮に、設計変更等によって基板１０の板厚が変更になり、第１基板１０１から第２基板１０２に変更、あるいは、第２基板１０２から第１基板１０１に変更になった場合であっても、板厚の異なる複数種の基板１０（ここでは第１、第２基板１０１，１０２の両方）に対応することができる。
【００４４】
また、上記したように、複数種のスリット部４０を構成する第１スリット部４１および第２スリット部４２は、前後方向に並んで設けられる（図４参照）。そして、複数種のスリット部４０は、基板１０を挟持する部位である、第１圧入部４１ｂの先端部４１ｂ１および第２圧入部４２ｂの先端部４２ｂ１に段差が設けられることで、第１、第２スリット部４１，４２のスリット幅ｄ１，ｄ２が異なるように構成される。
【００４５】
これにより、複数種のスリット部４０は、簡易な構成でありながら、厚さの異なる複数種の基板１０を挟持して保持することができる。
【００４６】
また、第２基板１０２にあっては、第１基板１０１と同様、筐体３０に安定して収容されるため、後方の端部が筐体３０の後部３４に当接あるいは近接するまで押し込まれることが好ましい。しかしながら、第２基板１０２は、第１基板１０１に比べて板厚が大きいため、後方の端部が、第１基板１０１に対応する第１スリット部４１に当たり、筐体３０の後部３４に当接あるいは近接するまで押し込むことができないおそれがある。
【００４７】
そこで、本実施形態にあっては、基板１０（ここでは第２基板１０２）を、対応しない別のスリット部（ここでは第１スリット部４１）回避することができる形状とした。図６は、第２基板１０２の平面図である。
【００４８】
図６に示すように、第２基板１０２には、回避部１２が形成される。例えば、回避部１２は、第２基板１０２の後方の端部１３において、第１スリット部４１と対応する部位に形成される。なお、図６においては、第２基板１０２を筐体３０の後部３４に当接あるいは近接するまで押し込んだときの第１スリット部４１の位置を想像線で示している。
【００４９】
例えば、回避部１２は、第２基板１０２の端部１３に形成される、平面視矩形状の切欠きである。なお、回避部１２の形状は、上記に限定されるものではなく、第１スリット部４１を回避できる形状であれば、どうような形状であってもよい。
【００５０】
このように、回避部１２は、複数種のスリット部４０（ここでは第１、第２スリット部４１，４２）のうち基板１０（ここでは第２基板１０２）の厚さに対応するスリット幅ｄ２のスリット部（ここでは第２スリット部４２）とは異なる別のスリット部（ここでは第１スリット部４１）を回避するように構成される。
【００５１】
これにより、第２基板１０２にあっては、第１スリット部４１を避けて、後方の端部１３が筐体３０の後部３４に当接あるいは近接するまで押し込むことが可能となり、よって筐体３０は、第２基板１０２を安定して収容することができる。
【００５２】
そして、上記のようにして、第１基板１０１または第２基板１０２が収容された筐体３０には、図１，２に示すように、蓋部５０が取り付けられる。例えば、図２に示すように、蓋部５０は、開口部５１を有する枠状に形成される。開口部５１はコネクタ２０に対応し、蓋部５０が筐体３０に取り付けられたときにコネクタ２０を部分的に露出可能に構成される。なお、蓋部５０は、樹脂製とされるが、これに限定されるものではない。
【００５３】
また、蓋部５０は、係止部５２をさらに備える。例えば、係止部５２は、係止孔５２ａを有し、蓋部５０の左右の側面にそれぞれ形成される。係止部５２は、蓋部５０が筐体３０に取り付けられるときに、係止孔５２ａが筐体３０の係止受け部３６に係止されることで、蓋部５０を筐体３０に固定することができ（図１参照）、このようにして電子装置１が完成する。
【００５４】
上述してきたように、第１の実施形態に係る基板保持構造において、筐体３０と、複数種のスリット部４０とを備える。筐体３０は、開口部３５が形成され、開口部３５から挿入された基板１０を収容する。複数種のスリット部４０（第１スリット部４１および第２スリット部４２）は、筐体３０内において基板１０を厚さ方向に挟持して保持可能に形成されるとともに、基板１０の厚さに対応するスリット幅ｄ１，ｄ２が異なる。これにより、板厚の異なる複数種の基板１０に対応して保持することができる。
【００５５】
（第２の実施形態）
次いで、第２の実施形態に係る電子装置１の構成について図７および図８を参照して説明する。図７は、第２の実施形態に係る筐体３０の正面図である。図８は、図７のVIII−VIII線断面図である。なお、以下においては、第１の実施形態と共通の構成については、同一の符号を付して説明を省略する。
【００５６】
図７および図８に示すように、第２の実施形態にあっては、筐体３０において、第１スリット部４１および第２スリット部４２が形成される位置を、第１の実施形態とは異ならせるようにした。具体的には、第１スリット部４１および第２スリット部４２が左右方向に並列に設けられるようにした。
【００５７】
例えば、第１スリット部４１は、筐体３０内において奥側（後方）の後部３４に形成される。詳しくは、第１スリット部４１の第１台座部４１ａは、筐体３０の後部３４および下部３２に形成される。第１スリット部４１の第１圧入部４１ｂは、筐体３０の後部３４において、第１台座部４１ａの上方に対向するように形成される。
【００５８】
他方、第２スリット部４２は、第１スリット部４１に対して左右方向の内側に位置するように形成される。詳しくは、第２スリット部４２の第２台座部４２ａ（図８では第１台座部４１ａに隠れて見えず）は、筐体３０の後部３４および下部３２であって、第１スリット部４１の第１台座部４１ａの左右方向の内側に形成される。また、第２スリット部４２の第２圧入部４２ｂは、筐体３０の後部３４で、かつ、第１スリット部４１の第１圧入部４１ｂの左右方向の内側において、第２台座部４２ａの上方に対向するように形成される。
【００５９】
なお、第１スリット部４１のスリット幅ｄ１および第２スリット部４２のスリット幅ｄ２は、第１の実施形態と同様に設定される（ｄ２＞ｄ１）。
【００６０】
従って、図８に示すように、例えば、筐体３０に第１基板１０１が挿入されて第１スリット部４１に到達すると、第１基板１０１の後方の端部が第１台座部４１ａと第１圧入部４１ｂとの間に挟まれつつ圧入される。これにより、第１スリット部４１は、第１基板１０１を厚さ方向に挟持して保持する。
【００６１】
他方、例えば、筐体３０に第２基板１０２が挿入されて第２スリット部４２に到達すると、第２基板１０２の後方の端部が第２台座部４２ａと第２圧入部４２ｂとの間に挟まれつつ圧入される。これにより、第２スリット部４２は、第２基板１０２を厚さ方向に挟持して保持する。
【００６２】
このように、第２の実施形態において、複数種のスリット部４０を構成する第１、第２スリット部４１，４２は、筐体３０内において左右方向に並列に設けられるようにした。言い換えると、複数種のスリット部４０を構成する第１、第２スリット部４１，４２は、基板１０の挿入方向（Ｙ軸方向）に対して直交する方向で、かつ、基板１０の主面１１に対して平行な方向、すなわち、Ｘ軸方向に沿って並列に設けられるようにした。
【００６３】
これにより、第２の実施形態において、複数種のスリット部４０は、簡易な構成でありながら、厚さの異なる複数種の基板１０（ここでは第１、第２基板１０１，１０２）を挟持して保持することができる。
【００６４】
なお、上記では、第２スリット部４２は、第１スリット部４１に対して内側に形成されるが、これに限られず、第１スリット部４１に対して左右方向の外側に形成されてもよい。
【００６５】
また、第１の実施形態でも述べたように、第２基板１０２にあっては、筐体３０に安定して収容されるため、後方の端部が筐体３０の後部３４に当接あるいは近接するまで押し込まれることが好ましい。しかしながら、第２基板１０２は、第１基板１０１に比べて板厚が大きいため、後方の端部が第１スリット部４１に当たって押し込むことができないおそれがある。
【００６６】
そこで、第２の実施形態においても、基板１０（ここでは第２基板１０２）が、対応しない別のスリット部（ここでは第１スリット部４１）回避することができるようにした。図９は、第２の実施形態に係る第２基板１０２の平面図である。
【００６７】
図９に示すように、第２の実施形態に係る第２基板１０２には、回避部１２が形成される。例えば、回避部１２は、第２基板１０２の後方の端部１３において、第１スリット部４１と対応する部位に形成される。なお、図９においては、第２基板１０２を筐体３０の後部３４に当接あるいは近接するまで押し込んだときの第１スリット部４１の位置を想像線で示している。
【００６８】
このように、第２の実施形態にあっても、回避部１２は、複数種のスリット部４０（ここでは第１、第２スリット部４１，４２）のうち基板１０（ここでは第２基板１０２）の厚さに対応するスリット幅ｄ２のスリット部（ここでは第２スリット部４２）とは異なる別のスリット部（ここでは第１スリット部４１）を回避するように構成される。
【００６９】
これにより、第２の実施形態に係る第２基板１０２にあっては、第１スリット部４１を避けて、後方の端部１３が筐体３０の後部３４に当接あるいは近接するまで押し込むことが可能となり、よって筐体３０は、第２基板１０２を安定して収容することができる。
【００７０】
（第３の実施形態）
次いで、第３の実施形態に係る電子装置１の構成について図１０および図１１を参照して説明する。図１０は、第３の実施形態に係る筐体３０の正面図である。図１１は、図１０のXI−XI線断面図である。
【００７１】
図１０および図１１に示すように、第３の実施形態にあっては、第１スリット部４１および第２スリット部４２が上下方向に設けられるようにした。
【００７２】
例えば、第１スリット部４１は、筐体３０内において奥側（後方）の後部３４に形成される。詳しくは、第１スリット部４１の第１台座部４１ａは、筐体３０の後部３４および下部３２に形成される。第１スリット部４１の第１圧入部４１ｂは、筐体３０の後部３４において、第１台座部４１ａの上方に対向するように形成される。
【００７３】
他方、第２スリット部４２は、第１スリット部４１に対して上方に位置するように形成される。詳しくは、第２スリット部４２の第２台座部４２ａは、筐体３０の後部３４および上部３１に形成される。また、第２スリット部４２の第２圧入部４２ｂは、筐体３０の後部３４において、第２台座部４２ａの下方に対向するように形成される。
【００７４】
なお、第１スリット部４１のスリット幅ｄ１および第２スリット部４２のスリット幅ｄ２は、第１の実施形態と同様に設定される（ｄ２＞ｄ１）。
【００７５】
また、筐体３０の側壁部３３ａ，３３ｂの内周面には、ガイド部１３７，２３７が形成される。ガイド部１３７は、第１スリット部４１に対応する位置に形成され、筐体３０に挿入された第１基板１０１を筐体３０の奥側へ向けてガイドする。
【００７６】
そして、図１１に示すように、第１基板１０１が第１スリット部４１に到達すると、第１基板１０１の後方の端部が第１台座部４１ａと第１圧入部４１ｂとの間に挟まれつつ圧入される。これにより、第１スリット部４１は、第１基板１０１を厚さ方向に挟持して保持する。
【００７７】
他方、ガイド部２３７は、第２スリット部４２に対応する位置に形成され、筐体３０に挿入された第２基板１０２を筐体３０の奥側へ向けてガイドする。そして、第２基板１０２が第２スリット部４２に到達すると、第２基板１０２の後方の端部が第２台座部４２ａと第２圧入部４２ｂとの間に挟まれつつ圧入される。これにより、第２スリット部４２は、第２基板１０２を厚さ方向に挟持して保持する。
【００７８】
このように、第３の実施形態において、複数種のスリット部４０を構成する第１、第２スリット部４１，４２は、筐体３０内において上下方向に設けられるようにした。言い換えると、複数種のスリット部４０を構成する第１、第２スリット部４１，４２は、基板１０の主面１１に対して垂直な方向、すなわち、Ｚ軸方向に沿って設けられるようにした。
【００７９】
これにより、第３の実施形態において、複数種のスリット部４０は、簡易な構成でありながら、厚さの異なる複数種の基板１０（ここでは第１、第２基板１０１，１０２）を挟持して保持することができる。
【００８０】
また、第３の実施形態に係る筐体３０にあっては、例えば、下部３２から第１スリット部４１までの上下方向の距離、および、上部３１から第２スリット部４２までの上下方向の距離を揃えるようにしてもよい。具体的には、例えば、筐体３０においては、下部３２から第１台座部４１ａの座面４１ａ１までの上下方向の距離と、上部３１から第２台座部４２ａの座面４２ａ１までの上下方向の距離とを揃えるようにしてもよい。
【００８１】
これにより、例えば、筐体３０に収容される基板１０が第１基板１０１から第２基板１０２へ変更されるような場合、先ず第１スリット部４１に保持されている第１基板１０１が抜き出される。そして、筐体３０を上下に反転させた後、第２基板１０２が挿入されて第２スリット部４２に保持されるようにしてもよい。これにより、筐体３０内における基板１０の位置は、第１基板１０１と第２基板１０２とで変わらないことから、例えばコネクタ２０の向きが変わらないようにすることができ、よって筐体３０の利便性を向上させることができる。
【００８２】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００８３】
１    電子装置
１０  基板
２０  コネクタ
３０  筐体
３５  開口部
４０  スリット部
４１  第１スリット部
４２  第２スリット部
【図１】
2020088359.tif 000003
【図２】
2020088359.tif 000004
【図３】
2020088359.tif 000005
【図４】
2020088359.tif 000006
【図５】
2020088359.tif 000007
【図６】
2020088359.tif 000008
【図７】
2020088359.tif 000009
【図８】
2020088359.tif 000010
【図９】
2020088359.tif 000011
【図１０】
2020088359.tif 000012
【図１１】
2020088359.tif 000013